(57)【要約】【課題】  従来の技術では、ユーザが興味のある項目や話題性のある項目を複数のソースから取得して詳しく見たり優先して見たりできなかった。【解決手段】  本発明では、複数のソースからコンテンツを取得するコンテンツ取得手段と、取得したコンテンツを各シーンに分割するシーン分割手段と、各シーンをキーワードによってカテゴリに分類するカテゴリ化手段と、カテゴリ化されたシーンを所定の規則によって並べ替えるシーン並べ替え手段と、カテゴリ化されたシーンを所定の規則によって間引くシーン間引き手段と、間引いたり並べ替えたりしたシーンを再生するシーン再生手段を具備する。【選択図】  図１９
2009218695.tif 000002
【特許請求の範囲】
【請求項１】
複数のソースからコンテンツを取得するコンテンツ取得手段と、取得したコンテンツを各シーンに分割するシーン分割手段と、各シーンをキーワードによってカテゴリに分類するカテゴリ化手段と、カテゴリ化されたシーンを所定の規則によって並べ替えるシーン並べ替え手段と、カテゴリ化されたシーンを所定の規則によって間引くシーン間引き手段と、間引いたり並べ替えたりしたシーンを再生するシーン再生手段を具備することを特徴とするコンテンツ再生装置。
【請求項２】
多くのソースから取得されたコンテンツは多くのシーンを残し、少数のソースから取得されたコンテンツは少数のシーンを残すことを特徴とする請求項１に記載のコンテンツ再生装置。
【請求項３】
多くのソースから取得されたコンテンツは優先して再生し、少数のソースから取得されたコンテンツは後回しに再生することを特徴とする請求項２に記載のコンテンツ再生装置。
【請求項４】
ユーザが各カテゴリに嗜好順序を設定可能であることを特徴とする請求項１に記載のコンテンツ再生装置。
【請求項５】
嗜好順序の高いカテゴリは多くのシーンを残し、嗜好順序の低いカテゴリは少数のシーンを残すことを特徴とする請求項４に記載のコンテンツ再生装置。
【請求項６】
嗜好順序の高いカテゴリは優先して再生し、嗜好順序の低いカテゴリは後回しに再生することを特徴とする請求項５に記載のコンテンツ再生装置。
【請求項７】
ユーザがソースの優先順位を設定可能であることを特徴とする請求項１に記載のコンテンツ再生装置。
【請求項８】
優先順位の高いソースからは多くのシーンを残し、優先順位の低いソースからは少数のシーンを残すことを特徴とする請求項７に記載のコンテンツ再生装置。
【請求項９】
優先順位の高いソースからのシーンは優先して再生し、優先順位の低いソースからのシーンは後回しに再生することを特徴とする請求項８に記載のコンテンツ再生装置。
【請求項１０】
話題性、嗜好順、放送時間、ソースによって各シーンに重みづけを行うことを特徴とする請求項１〜請求項９のいずれかに記載のコンテンツ再生装置。
【請求項１１】
重みづけの結果によって各シーンを間引いたり並べ替えたりすることを特徴とする請求項１０に記載のコンテンツ再生装置。
【請求項１２】
重みづけの係数やシーンを間引く閾値をユーザが設定可能であることを特徴とする請求項１０に記載のコンテンツ再生装置。
【請求項１３】
ユーザが指定した時間内に再生するシーンが収まるように設定可能であることを特徴とする請求項１〜請求項１２のいずれかに記載のコンテンツ再生装置。
【請求項１４】
シーンへの分割は、予めコンテンツに付与されている情報またはかつ音声認識またはかつテキスト解析またはかつ文字認識またはかつ画像認識によっておこなうことを特徴とする請求項１〜請求項１３のいずれかに記載のコンテンツ再生装置。
【発明の詳細な説明】
【技術分野】
【０００１】
本発明は、記録されたコンテンツを各シーンに分類し、これらの各シーンに、ユーザの興味、話題性、ソース、放送時間順によって優先順位をつけて、間引いたり並べ替えたりして再生する、コンテンツ再生装置に関する。
【背景技術】
【０００２】
従来の、特許文献１に述べられている、ストリームデータ関連情報供給装置、ストリームデータ関連情報供給方法、プログラム、記録媒体及びストリームデータ関連情報供給システムにおいては、コンテンツを再生した際に重複した部分を再度見ないように重複除去を行って再生している。また再生するコンテンツのメニューから重複して選択されたものは再生順位を上げている。
【特許文献１】特開２００４-１５３５５１号公報
【発明の開示】
【発明が解決しようとする課題】
【０００３】
従来の技術では、ユーザが興味のある項目や話題性のある項目を複数のソースから取得して詳しく見たり優先して見たりできなかった。
【課題を解決するための手段】
【０００４】
本発明では、複数のソースからコンテンツを取得するコンテンツ取得手段と、取得したコンテンツを各シーンに分割するシーン分割手段と、各シーンをキーワードによってカテゴリに分類するカテゴリ化手段と、カテゴリ化されたシーンを所定の規則によって並べ替えるシーン並べ替え手段と、カテゴリ化されたシーンを所定の規則によって間引くシーン間引き手段と、間引いたり並べ替えたりしたシーンを再生するシーン再生手段を具備する。
【発明の効果】
【０００５】
複数のソースからコンテンツを取得し、各シーンに分割してテーマごとにカテゴリ化して、興味のあるテーマや話題性のあるテーマを優先してみたり詳しく見たり、指定した時間内で見たりできる。
【発明を実施するための最良の形態】
【０００６】
次に、本発明の詳細を実施例の記述に従って説明する。
【０００７】
以下、図面を参照しながら本発明の好適な実施例について説明していく。
【０００８】
図１は本発明のコンテンツ再生装置（例えば、録画再生装置付きのテレビ）の構成図である。図１に示すように本装置は、表示部１，音声出力部２，記憶部３，操作部４，制御部５，通信部６とから構成されている。図２は、本装置の表示部１に表示されるお気に入り選択画面である。図２（ａ）に示すようにお気に入り選択画面では、電子番組表１１と、お気に入りＢＯＸ１とお気に入りＢＯＸ２（符号１２）が表示される。図２（ａ）の状態からユーザが、電子番組表１１のニュース１，ニュース２，ニュース３をリモコン等によって選択してお気に入りＢＯＸ１に予約し、音楽３，音楽１をお気に入りＢＯＸ２に予約する（図２（ｂ））。お気に入りＢＯＸ１，お気に入りＢＯＸ２に予約されたコンテンツは放送時間がくれば録画されて記憶部３に記憶される。図３はお気に入りＢＯＸに予約されて記憶部３に記憶されたコンテンツをシーンに分割してグループ分けする流れ図である。ステップＳ１０１においてユーザが所望のお気に入りＢＯＸをリモコンとＧＵＩなどで選択する。ここではお気に入りＢＯＸ１を選択する。ステップＳ１０２において選択したお気に入りＢＯＸのコンテンツを取り出す。ここでは図２（ｂ）のように、お気に入りＢＯＸ１に予約して記憶部３に記憶された、ニュース１，ニュース２，ニュース３を取り出す。ステップＳ１０３において各コンテンツを図４のようにシーンに分割する。シーンへの分割は音声認識，テキスト解析，文字認識や画像認識など如何なる方法でも良い。ステップＳ１０４において各シーンのキーワードを取り出す。図５は各シーンのヘッドラインを音声認識（またはテキスト解析等）した例を示す。例えば１ｃｈのニュース１はシーンｖ１１〜ｖ１７に、２ｃｈのニュース２はシーンｖ２１〜ｖ２５に、３ｃｈのニュース３はシーンｖ３１〜ｖ３６に分割される。図６は各シーンｖ１１〜ｖ３６を代表するキーワードを取り出した結果である。図７は各シーンを代表するキーワードを重複の多い順にソートした結果である。図７において重複度の大きい名詞（特に固有名詞を優先する）によって、各シーンをグループ分けした結果が図８である。「ＥＵ憲法」とか「オランダ」によって、シーンｖ１１，ｖ２１，ｖ３５をグループ化しカテゴリａを付与する。「郵政」によって、シーンｖ１２，ｖ３２，ｖ２５をグループ化しカテゴリｂを付与する。「ＮＹ」や「原油」によって、シーンｖ１３，ｖ２３をグループ化しカテゴリｃを付与する。以下同様にシーンをグループ化しカテゴリｄ〜ｊを付与する（図８）。カテゴリ化した各シーンにはサブカテゴリａ１，ｂ１等を付加する（図９）。ステップＳ１０６においてグループわけした結果を表示する（図１０または図１６（ａ））。図１１はカテゴリ化された各シーンの重複度を示す図である。例えばカテゴリａのシーンは１ｃｈのニュース１（ａ１）と２ｃｈのニュース２（ａ２）と３ｃｈのニュース３（ａ３）に出現し、カテゴリｃのシーンは１ｃｈのニュース１（ｃ１）と２ｃｈのニュース２（ｃ２）に出現する。図１２は各シーンをカテゴリ化する際に用いられた代表的なキーワードである。これらのキーワードは各コンテンツ間で重複度の大きい順すなわち話題性の大きい順に並んでいる。
【０００９】
次に、図１３の流れ図を用いて嗜好順の設定処理について述べる。この処理は、重複度によるグループわけの処理（図３）が行われた後に行われる。ステップＳ２０１においてユーザがメニュー画面（図示せず）でお気に入りＢＯＸを選択する。ここではお気に入りＢＯＸ１を選択する。ステップＳ２０２において、話題性順にグループ名を表示する（図１４（ａ））。ステップＳ２０３においてリモコン等を用いてユーザが嗜好順にグループ名を並べる（図１４（ｂ））。ここでは、ユーザが嗜好順に、（ｈ）ピアノマン＞（ａ）ＥＵ憲法、オランダ＞（ｆ）太陽電池＞（ｄ）ライブドア＞（ｅ）楽天＞（ｉ）愛・地球博、愛知万博、のようにグループ名を並べる。図１４（ａ）〜図１４（ｂ）において、話題性順リスト１３と嗜好性順リスト１４が画面に表示される。
【００１０】
次に、図１５の流れ図を用いて、重複したシーンや興味の無いシーンを間引いて再生する処理について述べる。ステップＳ３０１においてユーザがメニュー画面（図示せず）でお気に入りＢＯＸを選択する。ここでは、お気に入りＢＯＸ１を選択する。ステップＳ３０２においてお気に入りＢＯＸ１のコンテンツをシーンに分割して表示する。ここでは図１６（ａ）のシーン表示領域１６に、ａ１，ｂ１，ｃ１，ｇ，ｄ１，ｅ１，ｈ，ａ２，ｆ２，ｅ２，ｉ，ｂ２，ｊ，ｂ３，ｆ３，ｄ３，ａ３，ｅ３，の順に各シーンが表示される。図１６（ｂ）の優先順位設定メニュー１５で、各シーンを並べ替えたり間引いたりする際の優先順位を設定する。図１６（ｂ）のように話題性（重複度順）をユーザが優先すると、シーン表示領域１６に，ａ１，ａ２，ａ３，ｂ１，ｂ２，ｂ３，ｃ１，ｃ２，ｄ１，ｄ３，ｅ１，ｅ３，ｆ２，ｆ３，ｇ，ｈ，ｉ，ｊ，の順に各シーンが表示される（ステップＳ３０３）。もしここで再生ボタン１７を押下すると、この順に各シーンが再生される。図１７（ｃ）のように興味（嗜好順）をユーザが優先すると、シーン表示領域１６に、ｈ，ａ１，ａ２，ａ３，ｆ２，ｆ３，ｄ１，ｄ３，ｅ１，ｅ３，ｉ，ｂ１，ｂ２，ｂ３，ｃ１，ｃ２，ｇ，ｊ，の順に各シーンが表示される（ステップＳ３０４）。もしここで再生ボタン１７を押下すると、この順に各シーンが再生される。ステップＳ３０５においてシーンを間引くかどうか判定する。ユーザが間引くボタン１９を押下すると間引きメニュー２０が表示される（図１８（ｅ））。ステップＳ３０６において間引いた結果が所定の時間内に収まるように設定する。ここでは例えば１時間以内に収まるように設定する（図１８（ｅ））。ステップＳ３０７において話題性も興味もあるシーンを残す。例えば、図１７（ｃ）のシーン表示領域１６に、ｈ，ａ１，ａ２，ａ３，ｆ２，ｆ３，ｄ１，ｄ３，ｅ１，ｅ３，ｉ，ｂ１，ｂ２，ｂ３，ｃ１，ｃ２，ｇ，ｊ，の順に各シーンが表示された状態から、まず興味のある順にシーンを残すと、シーンｈ，ａ１，ａ２，ａ３，ｆ２，ｆ３，ｄ１，ｄ３，ｅ１，ｅ３，ｉ，が残り、次に興味の薄いものは重複度を小さくして残すと、シーンｈ，ａ１，ａ２，ａ３，ｆ２，ｆ３，ｄ１，ｅ１，ｉ，が残る（図１８（ｅ））。この状態で再生ボタン１７を押下する（ステップＳ３０８）と、ステップＳ３０９において、ｈ，ａ１，ａ２，ａ３，ｆ２，ｆ３，ｄ１，ｅ１，ｉ，の順にシーンが再生される。
【実施例１】
【００１１】
図１７（ｄ）は、ユーザがＧＵＩ画面でリモコン等を使って自由にシーン表示領域１６の各シーンを並べ替えた例である。また、図１８（ｆ）はユーザが間引くボタン１９を押下して間引きメニュー２０から手動で間引くことを選択した場合である。このときは、シーン表示領域１６に示すように、シーンｆ３，ｂ２，ｂ３，ｃ１，ｅ３，ｆ２，ａ３，ｄ１，ｄ３，ｊ，が残され、再生ボタン１７を押下すると、この順に再生される。
【実施例２】
【００１２】
図１９は、シーンを並び替えたり間引いたりする他の実施例である。ステップＳ４０１においてメニュー画面（図示せず）でお気に入りＢＯＸ１を選択する。ステップＳ４０２において、お気に入りＢＯＸ１のコンテンツをシーンに分割して表示する（図１０または図１６（ａ））。ステップＳ４０３において、話題性順（重複度順）に各シーンに重み（ｗ１）を付ける。ここでは、ｗ１（ａ１）＝３，ｗ１（ａ２）＝３，ｗ１（ａ３）＝３，・・・，ｗ１（ｃ１）＝２，ｗ１（ｃ２）＝２，・・・，ｗ１（ｊ）＝１，のように重みが付けられる（図２０（ａ））。ｗ１（ａ１）＝３，はカテゴリａのシーンがａ１，ａ２，ａ３と３回出現しているのでシーンａ１の重複度が３という意味である。ステップＳ４０４において、ユーザの興味順（嗜好順）に各シーンに重み（ｗ２）を付ける。ここでは、ユーザが図１４（ｂ）の画面で設定した嗜好性順リスト１４に応じて重みｗ２を設定する。例えば、ｗ２（ａ１）＝ｗ２（ａ２）＝ｗ２（ａ３）＝５，ｗ２（ｂ１）＝ｗ２（ｂ２）＝ｗ２（ｂ３）＝０，・・・，ｗ２（ｈ）＝６，ｗ２（ｊ）＝０，（図２０（ａ））のように重みが付けられる。ステップＳ４０５において、放送時間順に各シーンに重みｗ３を付ける。ここでは、図１０に示す放送時間を重みとして設定する。例えば、ｗ３（ａ１）＝ｔ１，ｗ３（ｂ１）＝ｔ２，・・・，ｗ３（ｅ３）＝ｔ１８，（図２０（ａ））と設定する。ステップＳ４０６において、コンテンツ順に各シーンに重みｗ４を付ける。ここでは、ニュース１に含まれるシーンには重み１を、ニュース２に含まれるシーンには重み２を、ニュース３に含まれるシーンには重み３を付ける。例えば、ｗ４（ａ１）＝１，ｗ４（ａ２）＝２，ｗ４（ａ３）＝３，である（図２０（ａ））。ステップＳ４０７において、各シーンの重みｗを計算する。ここでは、係数を、ｋ１＝１０，ｋ２＝１００，ｋ３＝０，ｋ４＝−１として、ｗ＝ｋ１＊ｗ１＋ｋ２＊ｗ２＋ｋ３＊ｗ３＋ｋ４＊ｗ４，を計算する。すると、ｗ（ａ１）＝５２９，ｗ（ａ２）＝５２８，ｗ（ａ３）＝５２７，ｗ（ａ）＝ｗ（ａ１）＋ｗ（ａ２）＋ｗ（ａ３）＝１５８４，ｗ（ｂ１）＝２９，ｗ（ｂ２）＝２８，ｗ（ｂ３）＝２７，ｗ（ｂ）＝８４，ｗ（ｃ１）＝１９，ｗ（ｃ２）＝１８，ｗ（ｃ）＝３７，ｗ（ｄ１）＝３１９，ｗ（ｄ３）＝３１７，ｗ（ｄ）＝６３６，ｗ（ｅ１）＝２１９，ｗ（ｅ３）＝２１７，ｗ（ｅ）＝４３６，ｗ（ｆ２）＝４２８，ｗ（ｆ３）＝４２７，ｗ（ｆ）＝８５５，ｗ（ｇ）＝９，ｗ（ｈ）＝６０９，ｗ（ｉ）＝１０８，ｗ（ｊ）＝７，となる。ステップＳ４０８において重みｗの大きい順にカテゴリを並べ替える。ｗ（ａ）＝１５８４，ｗ（ｂ）＝８４，ｗ（ｃ）＝３７，ｗ（ｄ）＝６３６，ｗ（ｅ）＝４３６，ｗ（ｆ）＝８５５，ｗ（ｇ）＝９，ｗ（ｈ）＝６０９，ｗ（ｉ）＝１０８，Ｗ（ｊ）＝７，だから、ａ＞ｆ＞ｄ＞ｈ＞ｅ＞ｉ＞ｂ＞ｃ＞ｇ＞ｊの順にカテゴリを並べ替える（図２０（ｂ））。ステップＳ４０９において間引くかどうか判定し、間引くならばステップＳ４１０において重みの低いシーンを間引く。ここでは、閾値（例えば、ｔｈ＝５００）によって、カテゴリごとに残すシーンの個数（ｗ／ｔｈを四捨五入した整数）を決める。例えば、ｗ（ａ）／ｔｈ＝１５８４／５００→３個、ｗ（ｆ）／ｔｈ＝８５５／５００→２個、のように残すシーンの個数を決める（図２０（ｃ））。このようにカテゴリごとに残すシーンの個数を決めて、重みの低いシーンを間引くと、残ったシーンの並びは、ａ１，ａ２，ａ３，ｆ２，ｆ３，ｄ１，ｈ，ｅ１，のようになる（図２０（ｄ））。ステップＳ４０７において用いた係数ｋ１，ｋ２，ｋ３，ｋ４と、ステップＳ４１０において用いた閾値ｔｈは、ＧＵＩでユーザが設定できるようにしても良い。また、ユーザがこれらの係数ｋ１，ｋ２，ｋ３，ｋ４や閾値ｔｈの値をＧＵＩで変化させるに応じて、各シーンが間引かれたり並び替えられたりする様子を画面に表示しても良い。
【実施例３】
【００１３】
図２１は、シーンを並び替えたり間引いたりする他の実施例である。まず、図１０のようにコンテンツを各シーンに分割しカテゴリを付加する。次に、図２１（ａ）のように、各シーンを放送時間順（ｔ１，ｔ２，・・・）に並べ替える。次に、各カテゴリに属するシーンを最新の放送時間のシーンのもとにまとめる（図２１（ｂ））。次に、図１４（ｂ）でユーザが設定した嗜好性順リスト１４に基づいて、ユーザの興味の無いシーンを間引き、ユーザの興味のあるシーンは重複度を大きくして残す（図２１（ｃ））。次に、残ったシーンをユーザの嗜好順に並べ替えて再生する（図２１（ｄ））。
【実施例４】
【００１４】
図２２は、シーンを並び替えたり間引いたりする他の実施例である。まず、図１０のようにコンテンツを各シーンに分割しカテゴリを付加する。次に、図２２（ａ）のように、各シーンを放送時間順（ｔ１，ｔ２，・・・）に並べ替える。次に、各カテゴリに属するシーンを最新の放送時間のシーンのもとにまとめる（図２２（ｂ））。次に、同一のカテゴリのシーンは画面分割して同一画面に表示するようにする（図２２（ｃ））。この場合、シーンｃ１，ｃ２は同一画面に表示されるが、ｃ１が動画で、ｃ２がテキストであっても良い。また、ｃ１，ｃ２がともに動画の場合には、一方をユーザが選択すると他方の映像と音声が停止するようにしてもよい。次に、図１４（ｂ）でユーザが設定した嗜好性順リスト１４に基づいて、ユーザの興味の無いシーンを間引き、ユーザの興味のあるシーンは残し、残ったシーンをユーザの嗜好順に並べ替えて再生する（図２２（ｄ））。
【実施例５】
【００１５】
シーンへの分割は、予めコンテンツに付与されている情報に基づいて行っても良い。
【実施例６】
【００１６】
なお、本発明の目的は、前述した実施例の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読み出し実行することによっても達成されることは言うまでもない。
【００１７】
この場合、記憶媒体から読み出されたプログラムコード自体が前述した実施形態の機能を実現することになり、そのプログラムコードを記憶した記憶媒体は本発明を構成することになる。
【００１８】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００１９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００２０】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００２１】
【図１】コンテンツ再生装置の構成図である。
【図２】お気に入り選択画面の図である。
【図３】コンテンツをシーンに分割してグループわけする流れ図である。
【図４】各ソースからのコンテンツをシーンに分割した図である。
【図５】各シーンのヘッドラインを音声認識やテキスト解析した図である。
【図６】各シーンのキーワードを取り出した図である。
【図７】キーワードを話題性の大きい順に並べた図である。
【図８】各シーンをグループ化してカテゴリ化した図である。
【図９】カテゴリ化した各シーンにサブカテゴリを付与した図である。
【図１０】カテゴリ化したシーンを表示した図である。
【図１１】カテゴリ化された各シーンの重複度を示す図である。
【図１２】各シーンをカテゴリ化する際に用いられた代表的なキーワードである。
【図１３】嗜好順の設定処理の流れ図である。
【図１４】嗜好順序設定画面の図である。
【図１５】シーンを並べ替えたり間引いたりする処理の流れ図である。
【図１６】優先順位設定画面の図である。
【図１７】優先順位設定画面の図である。
【図１８】シーンを間引く画面の図である。
【図１９】シーンを並べ替えたり間引いたりする処理の流れ図である。
【図２０】シーンを並べ替えたり間引いたりする処理の図である。
【図２１】シーンを並べ替えたり間引いたりする他の実施例の図である。
【図２２】シーンを並べ替えたり間引いたりする他の実施例の図である。
【図１】
2009218695.tif 000003
【図２】
2009218695.tif 000004
【図３】
2009218695.tif 000005
【図４】
2009218695.tif 000006
【図５】
2009218695.tif 000007
【図６】
2009218695.tif 000008
【図７】
2009218695.tif 000009
【図８】
2009218695.tif 000010
【図９】
2009218695.tif 000011
【図１０】
2009218695.tif 000012
【図１１】
2009218695.tif 000013
【図１２】
2009218695.tif 000014
【図１３】
2009218695.tif 000015
【図１４】
2009218695.tif 000016
【図１５】
2009218695.tif 000017
【図１６】
2009218695.tif 000018
【図１７】
2009218695.tif 000019
【図１８】
2009218695.tif 000020
【図１９】
2009218695.tif 000021
【図２０】
2009218695.tif 000022
【図２１】
2009218695.tif 000023
【図２２】
2009218695.tif 000024